(57)【特許請求の範囲】
【請求項１】
指向性の強い点光源と、
前記点光源が底部の中央に固定され、前記底部から側壁部が所定の高さ立設されて、前記点光源と対向する側に開口を有し、内壁面が反射部材で形成された箱型のハウジングと、
前記ハウジングの開口を覆い、周囲が前記ハウジングの開口の縁部で固定された所定の肉厚を有する光導通反射板を備えた面照明光源装置において、
前記光導通反射板は、前記点光源に対向する側に中央光導通反射部及び前記中央光導通反射部の周囲に外方光導通反射部が設けられた板状体からなり、
前記外方光導通反射部に、前記光導通反射板を斜めに貫通する複数の光導通部が形成されており、
前記光導通部の中心軸は、前記点光源の光軸と交差するように形成されていることを特徴とする面照明光源装置。
【請求項２】
前記中央光導通反射部及び前記外方光導通反射部は高反射率及び低透過率に形成され、
前記外方光導通反射部の前記複数の光導通部は所定径を有する開孔又は所定幅及び長さを有するスリットからなり、前記開孔の孔径又は前記スリットの幅及び長さは前記中央光導通反射部から外方へ離れるにしたがって大きくされていることを特徴とする請求項１に記載の面照明光源装置。
【請求項３】
前記斜めに貫通する複数の光導通部の傾斜角度は、前記中央光導通反射部から離れるにしたがって大きくなっていることを特徴とする請求項２に記載の面照明光源装置。
【請求項４】
前記光導通反射板は光反射拡散透過部材からなることを特徴とする請求項１に記載の面照明光源装置。
【請求項５】
光導通反射板は超微細発泡光反射部材で形成されていることを特徴とする請求項４に記載の面照明光源装置。
【請求項６】
前記点光源は発光ダイオード又はレーザーダイオードであることを特徴とする請求項１〜５のいずれかに記載の面照明光源装置。
【請求項７】
前記ハウジングの開口には、更に、前記光導通反射板の光出射側に、前記ハウジングの開口を覆うように、前記光導通反射板とは所定の隙間をあけて、光透過板が設けられていることを特徴とする請求項１に記載の面照明光源装置。
【請求項８】
請求項１〜７のいずれかの面照明光源装置を複数個連接することによって構成したことを特徴とする面照明装置。
【発明の詳細な説明】
【技術分野】
【０００１】
本発明は、面照明光源装置及びこの面照明光源装置を用いた面照明装置に関し、さらに詳しくは、光源に指向性の強い点光源を用いて、この点光源からの光で均一な照度分布の照明光を得ることのできる面照明光源装置及びこの面照明光源装置を用いた面照明装置に関する。
【背景技術】
【０００２】
近年、発光ダイオード（以下、「ＬＥＤ」という）の研究、開発が急速に進み、様々なタイプのＬＥＤが開発・製品化され、幅広い分野で使用されている。ＬＥＤはその低消費電力、長寿命、小型といった特徴より、従来電子機器等の動作表示灯として用いられてきた。これらのＬＥＤは、例えば液晶パネル用バックライト、各種の表示板、電光掲示板、電飾装置などにおいて多く使用されているが、照明分野においても使用されるようになってきている。この照明分野では、例えば、自動車用ヘッドライトないしテールライト、複数のＬＥＤを組み込んだ面状照明装置、管内にＬＥＤを組み込んで蛍光灯と同様に使用し得るようにした照明装置等に使用されている。しかし、ＬＥＤの光は指向性が強く、直視すると目を痛める恐れがあるため、電子機器等に内蔵する場合、光を何らかの手段で和らげることが必要であった。そのため、前記光源から照射された光を利用者にとって適切な強さに変換した上で良好な視認性を得ることのできる筐体が知られている（下記特許文献１参照）。
【０００３】
また、室内用照明装置等に使用される面状照明装置としては、均一に発光する面状光源が要求されるが、ＬＥＤは、光の指向性が強いため、そのままでは室内用照明装置等に使用するには適していない。そのため、ＬＥＤを光源として用いた、面状の均一な照度分布の照明光を得るための従来の光源装置としては、光の放射面に反射手段を設けて光を多重反射させたものが知られている（下記特許文献２参照）。また、ＬＥＤの指向性の強い光が直接目に入ると、グレア（glare）と呼ばれる不快なまぶしさが生じる。このグレアを防止するため、さらに拡散板を放射面に設けたものが知られている（下記特許文献３参照）。
【０００４】
しかし、拡散板を用いると、均一な照度分布の光を得ることが容易になるが、光の利用効率が低下してしまうという欠点がある。この欠点を解消するべく、拡散板を使用しなくともグレアが発生しないようにするため、光源から放射された光が少なくとも１回は光源装置内または光源装置の放射面に設けられた反射手段の開口の側壁で反射されてから開口を通過するように設計された光源装置が知られている。
【０００５】
例えば、下記特許文献４には、光源からの光を高い効率で利用しながら、光の放射方向の厚みを増大させることなく、放射面から所定の距離離れた面において均一な照明光を得ることのできる面照明光源装置及び面照明装置の発明が開示されている。なお、下記特許文献４は本願の出願人に係る特許出願の公開公報である。
【０００６】
以下、図８Ａ〜図８Ｃを参照して、下記特許文献４に開示されている面照明光源装置を説明する。なお、図８Ａは下記特許文献４に記載された面照明光源装置の平面図、図８Ｂは同じく断面図、図８Ｃは同じく光の反射状態を説明するための拡大断面図である。
【０００７】
面照明光源装置１００には、図８Ａ〜図８Ｃに示すように、発光ダイオード等の光を放射する単体又は複数の集合体からなる光源１１０と、この光源１１０からの光を伝搬してその放射方向の所定位置に放射面１４０Ａを有する光学的に透明な導光体１４０と、この導光体１４０の放射面１４０Ａ以外の面を閉鎖し、光源１１０を略中央に配置した無蓋のケーシング１３０とが設けられている。ケーシング１３０と導光体１４０との間の全体には、内側反射部１５０が設けられている。また、放射面１４０Ａ上には、放射側反射部１２０が設けられている。
【０００８】
放射側反射部１２０は、放射面１４０Ａ上に配置され、導光体１４０の内部を伝搬する光を所定の割合で反射させる反射面１６０ａを有する外方反射部１６０と、この外方反射部１６０に形成され、光源１１０からの光のうち少なくとも１回はいずれかの反射面（反射面１６０ａや内側反射部１５０）で反射された反射光を通過させる開口部１７０とを有している。開口部１７０には、光を反射する側面壁１７０ａが形成されている。
【０００９】
外方反射部１６０には、光源１１０に対向する放射面１４０Ａの中心側に、同心状に多数の未貫通孔（ハーフカット孔）１８０と、その外周側に幅狭の多数の幅狭溝１９０が形成されている。この幅狭溝１９０は、放射面１４０Ａの中心に対し同心状かつ不連続な環状（方形リング状）に形成されている。これら未貫通孔１８０及び幅狭溝１９０は、光源１１０からの光の反射量（又は光の透過量）を調節するために設けられるものである。
【００１０】
この面照明光源装置によると、光源から放射された光は、少なくとも１回は内側反射部の反射面又は外方反射部の反射面、あるいは開口部の側面壁にて反射し、反射光のみが開口を通過することとなる。これにより、放射面１４０Ａから所定距離離れた位置での光の分布が均一になる。また、外方反射部１６０での光の反射量を調節する未貫通孔１８０と幅狭溝１９０を設けたので、光源１１０からの光を微妙にコントロールして均一な照度分布の照明光を得ることができる。
【先行技術文献】
【特許文献】
【００１１】
【特許文献１】特開２０００−２２２９２６号公報
【特許文献２】特開２００６−０１２８１８号公報
【特許文献３】特開２００９−０１６０９３号公報
【特許文献４】特開２００９−００４２４８号公報（段落〔００２３〕、〔００２８〕〜〔００３９〕、図１Ａ）
【発明の概要】
【発明が解決しようとする課題】
【００１２】
上記特許文献４に開示されている面照明光源装置においては、光源から放射された光が少なくとも１回は反射するように、内側反射部の反射面、外方反射部の反射面、あるいは開口部の側面壁の反射面がそれぞれ設けられているため、グレアの発生を防止することができる。
【００１３】
しかし、上記特許文献４に開示されている面照明光源装置においては、光源装置の大型化に伴って光源装置の放射方向の厚みが大きくなると、光源から放射された光が少なくとも１回は内側反射部の反射面、外方反射部の反射面、あるいは開口部の側面壁の反射面で反射するように、それぞれの配置関係を最適化することが困難になる。
【００１４】
また、上記特許文献１に開示されている筐体においては、光源と対向する部分を直接光遮光壁で覆って保護し、また、前記光源からの照射された光を前記直接光遮光壁の周囲に光軸に斜交する方向に穿設した貫通孔を介して間接光に変えて導出することで利用者の目に刺激を与えるといった不都合をなくしている。しかし、光源装置及び照明装置においては、このような機構を単純に採用しても、照明装置全体にわたって均一でかつ所定の光強度を有する照明光を得ることが難しい。
【００１５】
そこで、本発明においては、指向性の強い点光源からの光を用い、大型化されても不快なまぶしさであるグレアが発生しないとともに、均一な照度分布の照明光を得ることができる面照明光源装置及び面照明装置を提供することを目的とする。
【課題を解決するための手段】
【００１６】
前記目的を達成するために、本発明の面照明光源装置は、
指向性の強い点光源と、
前記点光源が底部の中央に固定され、前記底部から側壁部が所定の高さ立設されて、前記点光源と対向する側に開口を有し、内壁面が反射部材で形成された箱型のハウジングと、
前記ハウジングの開口を覆い、周囲が前記ハウジングの開口の縁部で固定された光導通反射板を備えた面照明光源装置において、
前記光導通反射板は、前記点光源に対向する側に中央光導通反射部及び前記中央光導通反射部の周囲に外方光導通反射部が設けられた板状体からなり、
前記外方光導通反射部に、前記光導通反射板を斜めに貫通する複数の光導通部が形成されており、
前記光導通部の中心軸は、前記点光源の光軸と交差するように形成されていることを特徴とする。
【００１７】
なお、本発明の面照明光源装置における「光導通反射」という用語は、一部の光は透過するが残部の光は反射することを意味するものとして用いられている。そして本発明の面照明光源装置で用いられている光導通反射板は、指向性の強い点光源に対向する側に中央光導通反射部及び前記中央光導通反射部の周囲に外方光導通反射部が設けられた板状体からなり、前記外方光導通反射部に、点光源の光軸と交差するように前記光導通反射板を斜めに貫通する複数の光導通部が形成されている。なお、光軸という用語は、点光源から出射する光の指向角０度の指向角線を意味するものとして用いられている。
【００１８】
そのため、本発明の面照明光源装置においては、点光源から放射された指向性の強い光は、中央光導通反射部において一部光が透過して残部の光が反射するが、この反射した光はハウジングの内壁面で反射されて再度光導通反射板に入射する。また外方光導通反射部の光導通部に入射した光は、光導通部が光導通反射板に対して斜めに貫通しているために、光導通部の内壁においてハウジング内へ反射され、再度ハウジングの内壁面で反射される。また外方光導通反射部の光導通部以外の部分に入射した光は、一部の光は透過するが、残部の光は反射して再度ハウジングの内壁面での反射を繰り返すようになる。そのため、本発明の面照明光源装置によれば、点光源から放射される光は光導通反射板またはハウジング内で1回以上反射された後光導通反射板から放射され、指向性の強い点光源の直接光が光導通部を通過することがない。そのために不快なまぶしさであるグレアが発生せず、均一な照度分布の照明光が得られるようになる。
【００１９】
また、本発明の面照明光源装置においては、前記中央光導通反射部及び前記外方光導通反射部は高反射率及び低透過率に形成され、前記外方光導通反射部の前記複数の光導通部は所定形状の開孔又は所定幅及び長さを有するスリットからなり、前記開孔の大きさ又は前記スリットの幅及び長さは前記中央光導通反射部から外方へ離れるにしたがって大きくされていることが好ましい。
【００２０】
本発明の面照明光源装置では、点光源からの指向性が強い光は、中央光導通反射部から外方光導通反射部へと反射を繰り返して進行するため、中央光導通反射部から外方へ離れるにしたがって光強度が弱くなる。本発明の面照明光源装置によれば、外方光導通反射部の開孔の大きさ又はスリットの幅及び長さは中央光導通反射部から外方へ離れるにしたがって徐々に大きくされているため、中央光導通反射部から外方へ離れるにしたがって光導通部を通って出射される光の量が多くなるので、より均一な照度分布の照明光が得られるようになる。なお、前記光導通部の開孔の形状は、円形、楕円形、多角形、星形等任意の形状のものを採用することができ、多角形の場合には正多角形だけでなく、正多角形以外の多角形でも構わない。
【００２１】
また、本発明の面照明光源装置においては、前記斜めに貫通する複数の光導通部の傾斜角度は、前記中央光導通反射部から離れるにしたがって大きくなっていることが好ましい。
【００２２】
本発明の面照明光源装置において、斜めに貫通する複数の光導通部が中央光導通反射部から外方へ離れるにしたがって徐々に大きくされると、出射される光の量は多くなるが、点光源からの直接光が開孔又はスリットを通過しやすくなる。しかし、斜めに貫通する複数の光導通部の傾斜角度が中央光導通反射部から離れるにしたがって大きくされているため、点光源からの光は、中央光導通反射部から外方へ離れるにしたがってハウジング内へ反射されやすくなるので、直接光導通部から出射される光が少なくなり、不快なまぶしさであるグレアが発生しない面照明光源装置が得られる。
【００２３】
また、本発明の面照明光源装置においては、前記光導通反射板は光反射拡散透過部材からなることが好ましい。
【００２４】
光導通反射板が光反射拡散透過部材からなるものとすると、光導通反射板を透過する光は、直進せずに散乱される。そのため、本発明の面照明光源装置によれば、より均一な照度分布の照明光が得られるようになる。
【００２５】
また、本発明の面照明光源装置においては、ハウジング及び光導通反射板は超微細発泡光反射部材で形成されていることが好ましい。
【００２６】
超微細発泡光反射部材は、例えばプラスチック材料に光散乱粒子を分散させた場合と比すると、全ての方向により均質な散乱光を得ることができる。そのため、本発明の面照明光源装置によれば、より均一な照度分布の照明光が得られるようになる。さらに、超微細発泡光反射部材は、軽量であることから、面照明光源装置が大型化しても、面照明光源装置の重量を抑えることができる。
【００２７】
また、本発明の面照明光源装置においては、前記点光源はＬＥＤ又はレーザーダイオード（以下、ＬＤという）を用いることができる。
【００２８】
ＬＥＤ及びＬＤ共に、指向性が強く、発光強度が強い周知の点光源である。そのため、本発明の面照明光源装置によれば、サイズが大きくても明るい面照明光源装置が得られる。
【００２９】
本発明の面照明光源装置においては、前記ハウジングの開口には、更に、前記光導通反射板の光出射側に、前記ハウジングの開口を覆うように、前記光導通反射板とは所定の隙間をあけて、光透過板が設けられていることが好ましい。
【００３０】
本発明の面照明光源装置においては、光導通反射板が剥き出しのままであっても、上述の所定の作用・効果を奏することができる。しかしながら、外方光導通反射部が剥き出しのままであると、外方光導通反射部の光導通部を経て埃がハウジング内部側に侵入して、光導通反射板及びハウジングの反射率が低下する可能性がある。本発明の面照明光源装置によれば、光導通反射板の光出射側に光透過板を形成したため、光透過板の光出射側が平らになるように被覆できるので、ハウジング内部側に埃が浸入し難くなり、長期間使用しても照度低下が少ない面照明光源装置が得られる。加えて、本発明の面照明光源装置によれば、光透過板の表面を平らにできるため、光透過板の表面に付着した埃等の除去も容易に行うことができるようになる。なお、この光透過板は、透明なものであっても、光散乱作用を有するものであっても使用し得る。
【００３１】
更に、上記目的を達成するため、本発明の照明装置は、上記何れかの面照明光源装置を複数個連接することによって構成したことを特徴とする。
【００３２】
本発明の面照明装置によれば、個々の面照明光源装置が均一な照度分布の照明光が得られるとともに不快なまぶしさであるグレアが発生しないものであるため、より広い面積を有しながらも均一な照度分布の照明光が得られるとともに不快なまぶしさであるグレアが発生しない面照明装置が得られる。
【図面の簡単な説明】
【００３３】
【図１】本発明の実施形態に係る面照明光源装置の斜視図である。
【図２】図１の面照明光源装置の分解斜視図である。
【図３】図３Ａは図１の面照明光源装置の光導通反射板の平面図であり、図３Ｂは図３Ａの光導通反射板の光透過孔の形態の例を示した平面図である。
【図４】図１のＩＶ−ＩＶ線における断面図である。
【図５】図４の中央部の拡大断面図である。
【図６】図４の中央部の拡大断面図であり、光導通反射板の光透過孔の説明図である。
【図７】本発明の実施形態に係る面照明装置の斜視図である。
【図８】図８Ａは従来技術の面照明光源装置の平面図、図８Ｂは同じく断面図、図８Ｃは同じく光の反射状態を説明するための拡大断面図である。
【発明を実施するための形態】
【００３４】
以下、図面を参照して本発明の実施形態を説明する。但し、以下に示す実施形態は、本発明の技術思想を具体化するための面照明光源装置及びこの面照明光源装置を用いた面照明装置を例示するものであって、本発明をこれらの面照明光源装置及び面照明装置に特定することを意図するものではなく、特許請求の範囲に含まれるその他の実施形態のものにも等しく適応し得るものである。
【００３５】
本発明の実施形態に係る面照明光源装置について、図１〜図５を用いて説明する。なお、図１は本発明の実施形態に係る面照明光源装置の斜視図、図２は図１の面照明光源装置の分解斜視図、図３Ａは図１の面照明光源装置の光透過板を透過した平面図、図３Ｂは図３の面照明光源装置の光透過孔の形態の例を示した平面図、図４は図３Ａの面照明光源装置のＩＶ−ＩＶ線における断面図、図５は図４の中央部の拡大断面図、図６は図４の中央部の拡大断面図であり、光導通反射板の光透過孔の説明図である。
【００３６】
面照明光源装置１は、図１、図２に示すように、指向性の強い点光源２と、点光源２が中央部に固定された箱型のハウジング３とを備えている。点光源１２は、一つの発光素子あるいは複数の発光素子を有するＬＥＤとなっているが、ＬＥＤの代わりにＬＤを用いることもできる。
【００３７】
ハウジング３は、底部３ａと、側壁部３ｂ〜３ｅ及び開口３ｆとを有している。底部３ａの中央には点光源２が設置されるための装着孔３ｇが設けられている。なお、底部３ａは、ハウジングの設置状態によっては天井面となることもあり、また側壁面となることもある。ハウジング３は、高い光反射率を有する超微細発泡光反射部材等の材料で形成されており、ハウジング内壁面において点光源２からの光を高い光反射率で反射し、効率よく利用することができる。
【００３８】
ハウジング３の開口３ｆは、光導通反射板４によって覆われ、光導通反射板４は、開口の縁部に固定される。なお、ハウジング３と光導通反射板４に相当する部分を一枚の板体より切り出し、折り曲げることにより、ハウジング３と光導通反射板４とを作成して組み立ててもよい。
【００３９】
光導通反射板４は所定の肉厚を有し、高い光反射率と低い光透過率を有する超微細発泡光反射部材等の材料で形成される。これにより、点光源２からの光を高い光反射率で反射し、効率よく利用することができ、またＬＥＤの真上部分においても一定の光が透過するので、ＬＥＤの真上部分が暗くなりすぎることがない。また、超微細発泡光反射部材は軽量であるため、面照明装置を大型化しても、面照明装置の重量を抑えることができる。さらに、超微細発泡光反射部材は容易に入手可能であり、比較的安価であることから、大型の面照明装置を作成する場合にもコストを抑えることができる。この光導通反射板４は、図３Ａに示すように、点光源２の直上部分に中央光導通反射部５、中央光導通反射部５の外周囲に外方光導通反射部６が設けられている。
【００４０】
中央光導通反射部５の中央部、すなわちＬＥＤ２の直上部分には中央部５ａが設けられている。中央部５ａは高光反射率に形成されており、点光源２から放射される強い光を反射し、さらにその反射光がハウジング内壁面及び光導通反射板４によって多重反射するようになっている。中央部５ａの光反射率は、光学反射板材の選択、この材料の加工（例、ハーフ溝の形成、板厚の調整）によって適宜設定され、これによって、光を効率よく利用することができるようになる。中央部５ａの周辺すなわち外方光導通反射部６との境界部に周辺部５ｂが設けられている。周辺部５ｂには小孔が設けられ、中央部５ａに次いで光反射率を高くする一方で、一部の光を透過させるように設計されている。なお、この小孔はスリット、細溝などに代えてもよい。
【００４１】
外方光導通反射部６には、円形の開孔６ａが所定間隔で形成されている。開孔６ａは、その中心を通り開孔の内壁にほぼ平行な中心軸６ｂが点光源２の光軸２ａと交差するように光導通反射板４を斜めに貫通している。開孔６ａの孔径は前記中央光導通反射部から外方へ離れるにしたがって徐々に大きくなる。なお、この開孔６ａは、図３Ｂに示すように、三角形や四角形、星形など、種々の形状をとることができ、デザイン性を高めることが可能である。また、開孔６ａの代わりに、同心状の環状ないし方形状のスリットを設け、中央光導通反射部５から外方へ離れるほどその幅長が増加するようにしてもよい。
【００４２】
光導通反射板４の加工はレーザー加工機を用いて行われる。光導通反射板４において、点光源の直上部に相当する中央部から垂直に所定の距離離してレーザー照射部を固定し、レーザーを照射して光導通反射板に開孔を穿孔する。レーザー照射部から光導通反射板までの距離は穿孔範囲、すなわち光導通反射板の大きさに応じて決定され、この距離が大きくなるほど一度に広い範囲に穿孔することが可能である。レーザー照射部は固定された位置において、光導通反射板への垂線に対したとえば３０度の角度まで回転することができるため、光導通反射板を移動させることなく、複数の開孔の穿孔が可能である。このとき、レーザー照射部と光導通反射板はそれぞれ位置が固定されているので、中央部から離れた位置の開孔は斜めに穿孔され、開孔の中央軸の傾斜角度は中央光導通反射部から離れるほど大きくなる。斜めに貫通する複数の開孔の中央軸の傾斜角度が中央光導通反射部から離れるにしたがって大きくされているため、点光源からの光は、中央光導通反射部から外方へ離れるにしたがってハウジング内へ反射されやすくなるので、直接開孔から出射される光が少なくなり、不快なまぶしさであるグレアが発生しない面照明光源装置が得られる。このようなレーザー加工機を用いる形成方法によれば、容易に光導通反射板に所定の角度をもって開孔を穿孔することが可能である。
【００４３】
この光導通反射板４をハウジング２に固定する際には、レーザー照射部に対向させた面を光出射面となるように固定する。すなわち、外方光導通反射部６の開孔６ａの中心軸６ｂは、点光源２の光軸２ａに斜交する。このとき、開孔６ａの中心軸６ｂの角度θは、中央光導通部に近いθ１よりも、中央光導通部から離れているθ２の方が大きくなっている（図６参照）。また、角度θは穿孔時のレーザー照射部の角度に等しくなっている。
【００４４】
光導通反射板４において、開孔６ａの大きさが中央光導通反射部５から外方へ離れるにしたがって徐々に大きくされているので、開孔６ａから出射される光の量は多くなるが、点光源２からの直接光が開孔６ａを通過しやすくなる。しかし、開孔６ａの中心軸６ｂの光軸２ａに対する角度θが中央光導通反射部５から離れるにしたがって大きくされているため、点光源２から開孔６ａに入射した光は開孔６ａの内壁面によって反射され、ハウジング内または開孔６ａの内壁面において反射した後光導通反射板４から出射される。すなわち、点光源２からの光は少なくとも１回ハウジング内壁面又は光導通反射板４もしくは開孔６ａの内壁面によって反射した後に開孔６ａを通過することとなる。
【００４５】
光透過板７は、光導通反射板４よりも光透過率が高い板材からなり、光導通反射板４の上方に所定の隙間をあけて固定されている。光透過板７を用いることにより、ハウジング内部への埃や虫等の侵入を防止でき、長期間使用しても照度低下が少ない面照明光源装置が得られる。加えて、面照明光源装置の表面を平らにできるため、表面に付着した埃等の除去も容易に行うことができるようになる。なお、この光透過板は、透明なものであっても、光散乱作用を有するものであっても使用し得る。
【００４６】
以上のように、この実施形態の面照明光源装置１によれば、点光源２からの直接光が開孔６ａを通過することがないため、不快なまぶしさであるグレアが発生しない面照明光源装置１が得られる。
【００４７】
さらに、この実施形態の面照明光源装置を複数連接して、大型の面照明装置を得ることができる。本発明の実施形態に係る面照明装置について、図７を用いて説明する。なお、図７は本発明の実施形態に係る面照明装置の斜視図である。
【００４８】
本発明の実施形態に係る面照明装置１０は、３つの同一の面照明光源装置１１Ａ〜１１Ｃが連接され、面照明光源装置１１Ａ〜１１Ｃに共通の光透過板１７がそれぞれの光導通反射板の上部に設けられている。この実施形態に係る面照明装置１０においては、面照明光源装置１１Ａ〜１１Ｃで共通する１つの光透過板が用いられているが、面照明光源装置１１Ａ〜１１Ｃそれぞれについて光透過板を設けてもよい。本発明の実施形態に係る面照明装置によれば、個々の面照明光源装置が均一な照度分布の照明光が得られるとともに不快なまぶしさであるグレアが発生しないものであるため、より広い面積を有しながらも均一な照度分布の照明光が得られるとともに不快なまぶしさであるグレアが発生しない面照明装置が得られる。
【符号の説明】
【００４９】
１        面照明光源装置
２        点光源
３        ハウジング
４        光導通反射板
５        中央光導通反射部
６        外方光導通反射部
７        光透過板
１０      面照明装置
１１Ａ〜１１Ｃ  面照明光源装置
１７      光透過板
【図１】
0005515002.tif 000002
【図２】
0005515002.tif 000003
【図３】
0005515002.tif 000004
【図４】
0005515002.tif 000005
【図５】
0005515002.tif 000006
【図６】
0005515002.tif 000007
【図７】
0005515002.tif 000008
【図８】
0005515002.tif 000009